(57)【要約】【課題】照射位置の調整後に灯体の首振り角度が変化するのを抑制することができる照明装置を提供することである。【解決手段】実施形態に係る照明装置は、発光素子を有する灯体と；前記灯体を所定の方向に首振り自在に支持する支持部と；前記灯体に設けられ、前記首振りの中心を中心とする円周上に設けられた複数の位置決め部を有するプレートと；前記取付部に設けられ、前記円周上に対応する位置に設けられた取付部を有するアームと；一方の端部側が前記複数の位置決め部のうちの１つに挿入され、他方の端部側が前記取付部に挿入されるピンと；を具備している。【選択図】図１
2018006131.tif 000002
【特許請求の範囲】
【請求項１】
発光素子を有する灯体と；
前記灯体を所定の方向に首振り自在に支持する支持部と；
前記灯体に設けられ、前記首振りの中心を中心とする円周上に設けられた複数の位置決め部を有するプレートと；
前記取付部に設けられ、前記円周上に対応する位置に設けられた取付部を有するアームと；
一方の端部側が前記複数の位置決め部のうちの１つに挿入され、他方の端部側が前記取付部に挿入されるピンと；
を具備した照明装置。
【請求項２】
前記取付部は、複数設けられ、
前記複数の取付部は、前記首振りの中心を通る線上に並べて設けられている請求項１記載の照明装置。
【請求項３】
前記複数の取付部のそれぞれに対して、前記複数の位置決め部が設けられている請求項２記載の照明装置。
【請求項４】
１つの前記位置決め部の一部分と、隣接する前記位置決め部の一部分とが重なっている請求項１〜３のいずれか１つに記載の照明装置。
【請求項５】
前記ピンには雄ネジが設けられ、
前記複数の位置決め部は、孔であり、
前記取付部には、前記雄ネジに適合する雌ネジが設けられている請求項１〜４のいずれか１つに記載の照明装置。
【請求項６】
前記ピンには雄ネジが設けられ、
前記複数の位置決め部には、前記雄ネジに適合する雌ネジが設けられ、
前記取付部は、孔である請求項１〜４のいずれか１つに記載の照明装置。
【発明の詳細な説明】
【技術分野】
【０００１】
本発明の実施形態は、照明装置に関する。
【背景技術】
【０００２】
投光器や高天井照明装置などには、照射位置の調整（エーミングなどとも称される）を行うための角度調整ハンドルが設けられている。照射位置の調整を行う際には、角度調整ハンドルを回転させて固定力を減少させる。次に、光源を備えた灯体の首振り角度を変更する。その後、角度調整ハンドルを逆回転させて固定力を増加させるようにしている。
【０００３】
ここで、従来は、光源としてＨＩＤランプなどが用いられていた。しかしながら、近年においては、長寿命化、省エネルギー化などのために、光源として発光ダイオードが用いられるようになってきている。この場合、ＨＩＤランプなどに比べて発光ダイオードは熱に弱いので、発光ダイオードの温度上昇を抑制する必要がある。そのため、光源として発光ダイオードを用いる場合には、放熱部が必要となる。一般的に、放熱部は、アルミニウム合金などの金属材料から形成される。そのため、光源と放熱部を備えた灯体は重くなる。
【０００４】
また、投光器や高天井照明装置などには、振動が加わる場合が多い。そのため、灯体が重くなると、振動などにより灯体の首振り角度が変化しやすくなる。照射位置の調整後に灯体の首振り角度が変化すると、調整した照射位置が変化してしまう。  
そこで、照射位置の調整後に灯体の首振り角度が変化するのを抑制することができる照明装置の開発が望まれていた。
【先行技術文献】
【特許文献】
【０００５】
【特許文献１】特開平７−２４０１０２号公報
【発明の概要】
【発明が解決しようとする課題】
【０００６】
本発明が解決しようとする課題は、照射位置の調整後に灯体の首振り角度が変化するのを抑制することができる照明装置を提供することである。
【課題を解決するための手段】
【０００７】
実施形態に係る照明装置は、発光素子を有する灯体と；前記灯体を所定の方向に首振り自在に支持する支持部と；前記灯体に設けられ、前記首振りの中心を中心とする円周上に設けられた複数の位置決め部を有するプレートと；前記取付部に設けられ、前記円周上に対応する位置に設けられた取付部を有するアームと；一方の端部側が前記複数の位置決め部のうちの１つに挿入され、他方の端部側が前記取付部に挿入されるピンと；を具備している。
【発明の効果】
【０００８】
本発明の実施形態によれば、照射位置の調整後に灯体の首振り角度が変化するのを抑制することができる照明装置を提供することができる。
【図面の簡単な説明】
【０００９】
【図１】本実施形態に係る照明装置１を例示するための模式斜視図である。
【図２】図１における照明装置１のＡ−Ａ線方向の模式断面図である。
【図３】図１における照明装置１をＢ方向から見た図である。
【図４】（ａ）、（ｂ）は、複数の位置決め部３２ａにおける首振り角度の目盛りとしての機能を例示するための模式図である。
【図５】他の実施形態に係る複数の位置決め部３２ａを例示するための模式図である。
【発明を実施するための形態】
【００１０】
実施形態に係る発明は、発光素子を有する灯体と；前記灯体を所定の方向に首振り自在に支持する支持部と；前記灯体に設けられ、前記首振りの中心を中心とする円周上に設けられた複数の位置決め部を有するプレートと；前記取付部に設けられ、前記円周上に対応する位置に設けられた取付部を有するアームと；一方の端部側が前記複数の位置決め部のうちの１つに挿入され、他方の端部側が前記取付部に挿入されるピンと；を具備した照明装置である。  
この照明装置によれば、照射位置の調整後に灯体の首振り角度が変化するのを抑制することができる。
【００１１】
また、前記取付部は、複数設けることができる。前記複数の取付部は、前記首振りの中心を通る線上に並べて設けることができる。  
この様にすれば、照射位置の調整幅を小さくすることができる。
【００１２】
この場合、前記複数の取付部のそれぞれに対して、前記複数の位置決め部を設けることができる。  
この様にすれば、照射位置の調整幅を小さくすることができる。
【００１３】
また、１つの前記位置決め部の一部分と、隣接する前記位置決め部の一部分とが重なっているようにすることができる。  
この様にすれば、照射位置の調整幅を小さくすることができる。
【００１４】
また、前記ピンには雄ネジを設けることができる。前記複数の位置決め部は、孔とすることができる。前記取付部には、前記雄ネジに適合する雌ネジを設けることができる。  
この様にすれば、照射位置の調整が容易となる。
【００１５】
また、前記ピンには雄ネジを設けることができる。前記複数の位置決め部には、前記雄ネジに適合する雌ネジを設けることができる。前記取付部は、孔とすることができる。
この様にすれば、照射位置の調整が容易となる。
【００１６】
以下、図面を参照しつつ、実施の形態について例示をする。なお、各図面中、同様の構成要素には同一の符号を付して詳細な説明は適宜省略する。  
図１は、本実施形態に係る照明装置１を例示するための模式斜視図である。  
図２は、図１における照明装置１のＡ−Ａ線方向の模式断面図である。  
図３は、図１における照明装置１をＢ方向から見た図である。  
本実施の形態に係る照明装置１は、例えば、スタジオ、舞台、グランド、建築物、駐車場、看板などに光を照射する投光器や、倉庫などの天井に設けられる高天井照明装置などとすることができる。ただし、照明装置１の用途は、例示をしたものに限定されるわけではない。照明装置１は、必要に応じて、照射位置の調整を行うものであればよい。  
図１、図２、および図３に示すように、照明装置１には、灯体１０、支持部２０、および保持部３０が設けられている。
【００１７】
灯体１０は、光源１１、光学要素部１２、および制御部１３を備えている。  
光源１１は、放熱部１４、および発光部１５を有する。
【００１８】
放熱部１４の一方の端部には凹部１４ａが設けられている。放熱部１４の他方の端部には、複数の放熱フィン１４ｂが設けられている。放熱部１４は、熱伝導率が５０Ｗ／ｍ・Ｋ〜２５０Ｗ／ｍ・Ｋ程度の材料から形成することができる。放熱部１４は、例えば、アルミニウム合金やマグネシウム合金等の金属材料から形成することができる。放熱部１４は、例えば、ダイカスト法を用いて形成することができる。
【００１９】
発光部１５は、基板１５ａ、発光素子１５ｂ、およびソケット１５ｃを有する。  
基板１５ａは、平板状を呈している。基板１５ａは、ソケット１５ｃの底面を介して放熱部１４の凹部１４ａの底面に設けられている。基板１５ａは、例えば、凹部１４ａの底面に接着したり、ネジ止めしたりすることができる。基板１５ａの表面には、配線パターンが設けられている。基板１５ａの材料や構造には特に限定はない。例えば、基板１５ａは、セラミックス（例えば、酸化アルミニウムや窒化アルミニウムなど）などの無機材料、紙フェノールやガラスエポキシなどの有機材料などから形成することができる。また、基板１５ａは、金属板の表面を絶縁性材料で被覆したものであってもよい。なお、金属板の表面を絶縁性材料で被覆する場合には、絶縁性材料は、有機材料からなるものであってもよいし、無機材料からなるものであってもよい。
【００２０】
発光素子１５ｂの発熱量が多い場合には、放熱の観点から熱伝導率の高い材料を用いて基板１５ａを形成することが好ましい。熱伝導率の高い材料としては、例えば、酸化アルミニウムや窒化アルミニウムなどのセラミックス、金属板の表面を絶縁性材料で被覆したものなどを例示することができる。  
また、基板１５ａは、単層であってもよいし、多層であってもよい。
【００２１】
発光素子１５ｂは、基板１５ａの、凹部１４ａの底面側とは反対側の面に設けられている。発光素子１５ｂは、基板１５ａの表面に設けられた配線パターンと電気的に接続されている。発光素子１５ｂは、例えば、発光ダイオード、有機発光ダイオード、レーザダイオードなどとすることができる。発光素子１５ｂは、複数設けることができる。複数の発光素子１５ｂは、互いに直並列接続することができる。
【００２２】
発光素子１５ｂの形式には特に限定はない。発光素子１５ｂは、例えば、ＰＬＣＣ（Plastic Leaded Chip Carrier）型などの表面実装型の発光素子とすることができる。発光素子１５ｂは、例えば、砲弾型などのリード線を有する発光素子とすることもできる。  
また、発光素子１５ｂは、ＣＯＢ（Chip On Board）により実装されるものとすることもできる。なお、図２に例示をした発光素子１５ｂは、ＣＯＢにより実装される発光素子１５ｂである。ＣＯＢにより実装される発光素子１５ｂとする場合には、チップ状の発光素子１５ｂと、チップ状の発光素子１５ｂを覆う封止部１５ｄなどを設けることができる。封止部１５ｄは、シリコーン樹脂などの透光性を有する材料から形成することができる。また、封止部１５ｄには、蛍光体を含めることができる。蛍光体の種類や発光素子１５ｂの種類は、照明装置１の用途などに応じて所望の発光色が得られるように適宜変更することができる。
【００２３】
ソケット１５ｃは枠状を呈している。ソケット１５ｃは、基板１５ａの発光素子１５ｂが設けられる側の面に設けられている。ソケット１５ｃは、例えば、凹部１４ａの底面にネジ止めすることができる。ソケット１５ｃは絶縁性材料から形成されている。ソケット１５ｃは、例えば、酸化アルミニウムや窒化アルミニウムなどのセラミックスなどから形成することができる。ソケット１５ｃの基板１５ａ側の面には、配線パターンが設けられている。ソケット１５ｃに設けられた配線パターンの一方の端部には、接続パッドが設けられている。接続パッドは、基板１５ａに設けられた配線パターンと電気的に接続される。ソケット１５ｃに設けられた配線パターンの他方の端部には配線が電気的に接続されている。配線は、ソケット１５ｃに設けられた配線パターンと、制御回路部１３ｃとを電気的に接続する。そのため、ソケット１５ｃを基板１５ａに取り付けることで、発光素子１５ｂと制御回路部１３ｃとが電気的に接続される。また、枠状を呈するソケット１５ｃは、発光素子１５ｂが設けられた領域を囲んでいる。そのため、枠状を呈するソケット１５ｃは、封止部１５ｄが形成される領域を画する機能をも有する。また、枠状を呈するソケット１５ｃは、発光素子１５ｂから照射された光を反射するリフレクタの機能をも有する。
【００２４】
光学要素部１２は、光源１１（放熱部１４）の、発光部１５が設けられる側の端部に設けられている。  
光学要素部１２は、カバー１２ａ、リフレクタ１２ｂ、固定部１２ｃ、および透光部１２ｄを有する。
【００２５】
カバー１２ａは、円筒状を呈している。カバー１２ａの両端部には、環状のフランジ部が設けられている。フランジ部は、カバー１２ａの内部に設けられている。カバー１２ａの、光源１１側のフランジ部は、放熱部１４の端部にネジ止めされている。
【００２６】
リフレクタ１２ｂは、両端が開口した筒状体である。リフレクタ１２ｂは、光源１１から離れるに従い断面積が大きくなる形状を有している。リフレクタ１２ｂの内側面は、例えば、回転放物面とすることができる。リフレクタ１２ｂの内側面は、鏡面となっている。
リフレクタ１２ｂの内側面の表面形状には特に限定はない。例えば、リフレクタ１２ｂの内側面は、ブラスト処理が施されていたり、ファセット形状、ハンマートーン形状であったりしてもよい。リフレクタ１２ｂの、光源１１側とは反対側の端部にはフランジ部１２ｂ１が設けられている。フランジ部１２ｂ１は、環状を呈し、リフレクタ１２ｂの外側面に設けられている。フランジ部１２ｂ１と放熱部１４との間にはスペーサ１２ｂ２が設けられている。フランジ部１２ｂ１と、スペーサ１２ｂ２を貫通するネジにより、リフレクタ１２ｂが放熱部１４の端部にネジ止めされている。
【００２７】
固定部１２ｃは、固定板１２ｃ１および蓋１２ｃ２を有する。  
固定板１２ｃ１は環状を呈している。固定板１２ｃ１の、光源１１側とは反対側の端部には凹部１２ｃ１ａが設けられている。凹部１２ｃ１ａの内部には、透光部１２ｄが設けられている。また、凹部１２ｃ１ａの底面には、環状のシール部材１２ｅが設けられている。シール部材１２ｅは、外部の雰囲気に含まれる水分やガスが光学要素部１２の内部に侵入するのを抑制する。
【００２８】
蓋１２ｃ２は環状を呈している。蓋１２ｃ２と、固定板１２ｃ１を貫通するネジにより、固定板１２ｃ１および蓋１２ｃ２がカバー１２ａの、光源１１側とは反対側のフランジ部にネジ止めされている。固定板１２ｃ１および蓋１２ｃ２をカバー１２ａのフランジ部にネジ止めすることで、凹部１２ｃ１ａの内部に設けられた透光部１２ｄが所定の位置に固定される。また、蓋１２ｃ２により透光部１２ｄがシール部材１２ｅに押し付けられるので、光学要素部１２の内部が封止される。
【００２９】
カバー１２ａ、リフレクタ１２ｂ、固定板１２ｃ１および蓋１２ｃ２は、例えば、鉄、アルミニウム合金やマグネシウム合金等の金属材料から形成することができる。
【００３０】
透光部１２ｄは、板状を呈している。透光部１２ｄは、ガラスなどの透光性を有する材料から形成されている。透光部１２ｄは、発光素子１５ｂから出射した光を透過させる。また、透光部１２ｄは、発光素子１５ｂから出射した光の拡散、集光、所定の配光パターンの形成、所定の波長を有する光の透過などを行うものとすることもできる。透光部１２ｄは、例えば、微細な凹凸を有していたり、レンズを有していたり、フィルタを有していたりすることができる。
【００３１】
制御部１３には、筐体１３ａ、カバー１３ｂ、制御回路部１３ｃ、および蓋１３ｄが設けられている。  
筐体１３ａは、放熱部１４側とは反対側の端部が開口した箱状を呈している。筐体１３ａの底面は、放熱部１４の、放熱フィン１４ｂ側の端部にネジ止めされている。照明装置１を制御部１３側から見た場合、筐体１３ａは、長方形の一辺が円弧となっている形状を有している。この場合、円弧となっている部分は、支持部２０側とは反対側に設けられている。筐体１３ａの、円弧側とは反対側の端部１３ａ１は、放熱部１４から突出している。筐体１３ａの端部１３ａ１の近傍には、角度調整ハンドル２３のネジ部が取り付けられる雌ネジが一対設けられている。一対の雌ネジは、灯体１０の中心軸に対して線対称となる位置に設けられている。
【００３２】
カバー１３ｂは、放熱部１４の放熱フィン１４ｂ、および、筐体１３ａの円弧側を覆っている。カバー１３ｂは、支持部２０側が切り欠かれた円筒状を呈している。カバー１３ｂは、筐体１３ａと一体に形成されている。カバー１３ｂおよび筐体１３ａは、例えば、アルミニウム合金やマグネシウム合金等の金属材料から形成することができる。カバー１３ｂおよび筐体１３ａは、例えば、ダイカスト法を用いて形成することができる。
【００３３】
制御回路部１３ｃは、筐体１３ａの内部に設けられている。制御回路部１３ｃは、プリント配線基板と、プリント配線基板に実装された電子部品とを有する。プリント配線基板に実装された電子部品により、例えば、点灯回路が構成されている。点灯回路は、例えば、外部電源（商用交流電源）からの交流電力を所定の直流電力に変換し、変換された直流電力を発光素子１５ｂに供給する。プリント配線基板は、筐体１３ａの底面にネジ止めされている。
【００３４】
蓋１３ｄは、板状を呈している。蓋１３ｄは、筐体１３ａの開口を塞いでいる。蓋１３ｄは、筐体１３ａの開口側の端部にネジ止めされている。蓋１３ｄには、制御回路部１３ｃに交流電力を供給する電源ケーブルが挿通するケーブルグランド１３ｄ１が設けられている。  
蓋１３ｄは、例えば、アルミニウム、アルミニウム合金、マグネシウム合金等の金属材料から形成することができる。
【００３５】
支持部２０は、灯体１０を所定の方向に首振り自在に支持する。支持部２０は、構造物などの設置場所に灯体１０を設置する。  
支持部２０は、ベース２１、支持体２２、および、角度調整ハンドル２３を有する。
【００３６】
ベース２１は、台座２１ａおよび支持軸２１ｂを有する。  
台座２１ａは、一方の端部が開口し、他方の端部が閉塞した円筒状を呈している。台座２１ａの開口側の端部は、設置場所に設置される。台座２１ａの閉塞側の端部には、アンカーボルト２１ａ１が挿通する孔が設けられている。台座２１ａは、アンカーボルト２１ａ１により設置場所に固定される。なお、台座２１ａの形状や固定方法は、例示をしたものに限定されるわけではない。台座２１ａの形状や固定方法は、例えば、設置場所の形態などに応じて適宜変更することができる。
【００３７】
支持軸２１ｂは、台座２１ａの閉塞側の端部に設けられている。支持軸２１ｂは、先端側の断面積が小さい段付き形状を有している。支持軸２１ｂの先端側には、雄ネジが設けられている。  
台座２１ａおよび支持軸２１ｂは、鉄などの金属材料から形成することができる。  
支持体２２は、支持板部２２ａおよび連結部２２ｂを有する。  
支持板部２２ａは、板状を呈している。支持板部２２ａは、一対設けられている。一対の支持板部２２ａは、支持軸２１ｂが延びる方向に延びている。一対の支持板部２２ａは、灯体１０を挟んで対峙している。一対の支持板部２２ａのベース２１側の端部は、連結部２２ｂにより連結されている。一対の支持板部２２ａの灯体１０側の端部の近傍には、角度調整ハンドル２３のネジ部が挿通する孔が設けられている。
【００３８】
連結部２２ｂは、板状を呈している。連結部２２ｂは、支持軸２１ｂが延びる方向と交差する方向に延びている。連結部２２ｂの中央には、支持軸２１ｂの先端側が挿通する孔が設けられている。連結部２２ｂの孔に支持軸２１ｂの先端側を挿入することで、支持体２２がベース２１に支持される。支持軸２１ｂの雄ネジにナットを取り付け、ナットを締め付けることで、支持体２２がベース２１に固定される。また、ナットを緩めることで、支持軸２１ｂを中心として灯体１０の回転方向の位置を変化させることができる。  
支持板部２２ａおよび連結部２２ｂは、例えば、板材を折り曲げて一体に形成することができる。支持板部２２ａおよび連結部２２ｂは、例えば、鉄などの金属材料から形成することができる。
【００３９】
角度調整ハンドル２３は、例えば、金属製のグリップと、グリップから突出する金属製の雄ネジ部を有する。角度調整ハンドル２３の雄ネジ部を支持板部２２ａの孔に挿入し、角度調整ハンドル２３の雄ネジ部を筐体１３ａの雌ネジに取付け、角度調整ハンドル２３のグリップを回転させて支持部２０に灯体１０を固定する。また、角度調整ハンドル２３のグリップを逆回転させることで、筐体１３ａの雌ネジに取り付けられた角度調整ハンドル２３の雄ネジ部を中心として灯体１０の首振り方向Ｃにおける位置（首振り角度）を変化させることができる。すなわち、角度調整ハンドル２３は、灯体１０の首振り角度の調整と、首振り角度の固定を行う。  
なお、筐体１３ａの雌ネジに取り付けられた角度調整ハンドル２３の雄ネジ部の中心が、灯体１０の首振りの中心となる。
【００４０】
ここで、ＨＩＤランプなどに比べて発光ダイオードは熱に弱い。そのため、点灯により発光素子１５ｂの温度が高くなりすぎると、発光素子１５ｂの寿命が短くなったり、発光素子１５ｂの光学特性が変化したりするおそれがある。そのため、発光素子１５ｂを用いる場合には、放熱部１４が必要となる。前述したように、放熱部１４は、アルミニウム合金などの金属材料から形成される。そのため、発光素子１５ｂを用いる場合には、灯体１０が重くなる。またさらに、光学要素部１２のカバー１２ａや固定部１２ｃ、制御部１３の筐体１３ａなども金属材料から形成される。そのため、灯体１０はさらに重くなる。
【００４１】
前述したように、灯体１０の首振り角度の固定は、角度調整ハンドル２３により行われる。この場合、摩擦力により灯体１０の首振り角度の固定が行われることになる。ところが、灯体１０が重くなると、振動などにより角度調整ハンドル２３による締め付けが緩みやすくなる。角度調整ハンドル２３による締め付けが緩むと、灯体１０の首振り角度が変化して、調整した照射位置が変化してしまうおそれがある。  
この場合、角度調整ハンドル２３による締め付けは作業者により行われるため、固定力の増加には限度がある。また、灯体１０の首振りの中心と、灯体１０の重心とを合わせれば、灯体１０の重量増加の影響を抑制することができる。しかしながら、灯体１０の首振りの中心と、灯体１０の重心とを合わせれば、設計の自由度が失われるおそれがある。例えば、灯体１０の首振りの中心と、灯体１０の重心とを合わせると、首振りの可動範囲が狭まったり、商品デザインなどの商品価値が低下したりするおそれがある。
【００４２】
そこで、本実施の形態に係る照明装置１においては、保持部３０を設けることで、照射位置の調整後に灯体１０の首振り角度が変化するのを抑制するようにしている。  
図１に示すように、保持部３０は、アーム３１、位置決めプレート３２、および位置決めピン３３を有する。
【００４３】
アーム３１は、板状を呈している。アーム３１は、支持板部２２ａの灯体１０側の端部の近傍に設けられている。アーム３１は、灯体１０の首振りの中心（角度調整ハンドル２３の雄ネジ部の中心）の近傍に設けられている。アーム３１は、支持板部２２ａから突出している。アーム３１は、支持板部２２ａと平行に延びるものとすることができる。アーム３１は、支持板部２２ａと一体に形成することもできるし、ネジなどを用いて支持板部２２ａに固定することもできるし、溶接などで持板部２２ａに固定することもできる。アーム３１は、鉄などの金属材料から形成することができる。
【００４４】
アーム３１の先端には、位置決めピン３３が挿入される取付部３１ａが設けられている。取付部３１ａは、複数の位置決め部３２ａが設けられる円周上に対応する位置に設けられている。取付部３１ａは、複数設けることができる。複数の取付部３１ａは、灯体１０の首振りの中心を通る線上に並べて設けることができる。複数の取付部３１ａのそれぞれに対して、複数の位置決め部３２ａを設けることができる。取付部３１ａは、例えば、雌ネジまたは孔とすることができる。なお、取付部３１ａが雌ネジの場合には、位置決め部３２ａは孔となる。取付部３１ａが孔の場合には、位置決め部３２ａは雌ネジとなる。
【００４５】
位置決めプレート３２は、板状を呈している。位置決めプレート３２は、筐体１３ａの外側面に設けられている。位置決めプレート３２は、アーム３１と対峙させて設けることができる。位置決めプレート３２は、灯体１０の首振りの中心（角度調整ハンドル２３の雄ネジ部の中心）の近傍に設けられている。位置決めプレート３２は、筐体１３ａと一体に形成することもできるし、ネジなどを用いて筐体１３ａに固定することもできるし、溶接などで筐体１３ａに固定することもできる。位置決めプレート３２は、例えば、アルミニウム合金やマグネシウム合金等の金属材料から形成することができる。  なお、位置決めプレート３２が筐体１３ａに設けられる場合を例示したが、位置決めプレート３２は灯体１０に設けられていればよい。
【００４６】
位置決めプレート３２には、複数の位置決め部３２ａが設けられている。位置決め部３２ａには位置決めピン３３の先端が挿入される。位置決め部３２ａは、孔または雌ネジとすることができる。位置決め部３２ａが孔の場合には、孔の内形寸法は位置決めピン３３の先端の外径寸法よりも僅かに大きくなっている。位置決め部３２ａが雌ネジの場合には、位置決めピン３３に設けられた雄ネジと適合した雌ネジとなっている。位置決め部３２ａは、位置決めプレート３２を厚み方向に貫通していてもよいし、貫通していなくてもよい。
【００４７】
複数の位置決め部３２ａは、灯体１０の首振りの中心を中心とする円周上に設けられている。位置決め部３２ａと灯体１０の首振りの中心との間の距離は、取付部３１ａと灯体１０の首振りの中心との間の距離と等しくなっている。また、取付部３１ａが複数設けられる場合には、複数の取付部３１ａのそれぞれに対応する複数の位置決め部３２ａが設けられる。例えば、図１に例示をしたように、取付部３１ａが２つ設けられる場合には、複数の位置決め部３２ａが２列設けられる。
【００４８】
位置決めピン３３は、棒状を呈している。位置決めピン３３の一方の端部側は複数の位置決め部３２ａのうちの１つに挿入される。位置決めピン３３の他方の端部側は取付部３１ａに挿入される。位置決めピン３３は、灯体１０の首振り方向Ｃと交差する方向に延びている。位置決めピン３３には、雄ネジが設けられている。位置決めピン３３は、例えば、六角ボルト、六角穴付きボルト、ナベ小ネジ、トラス小ネジなどとすることができる。ただし、位置決めピン３３は例示をしたものに限定されるわけではなく、雄ネジが設けられているものであればよい。位置決めピン３３は、例えば、鉄などの金属材料から形成することができる。
【００４９】
なお、保持部３０が灯体１０の片側に設けられる場合を例示したが、保持部３０が灯体１０の両側に設けられていてもよい。  
また、位置決め部３２ａの数、複数の位置決め部３２ａの列数は例示をしたものに限定されるわけではなく、照明装置１の用途などに応じて適宜変更することができる。  
また、複数の位置決め部３２ａは等ピッチで設けてもよいし、任意のピッチで設けてもよい。ただし、複数の位置決め部３２ａを等ピッチで設ければ、首振り角度の目盛りとして用いることが容易となる。
【００５０】
次に、保持部３０の作用および効果について説明する。  
照明装置１の照射位置を調整する際には、位置決めピン３３の先端が位置決め部３２ａから抜かれる。  
次に、角度調整ハンドル２３を回転させて、角度調整ハンドル２３による締め付けが緩められる。  
次に、灯体１０の首振り角度を変化させて、照明装置１の照射位置が所望の位置となるようにする。  
次に、位置決めピン３３の先端が位置決め部３２ａに挿入される。位置決めピン３３の先端と、対象となる位置決め部３２ａの位置がずれている場合には、位置決めピン３３の先端が位置決め部３２ａに挿入できるように、灯体１０の首振り角度を微調整する。  
次に、角度調整ハンドル２３を逆回転させて、灯体１０の首振り角度の固定を行う。
【００５１】
前述したように、灯体１０には振動が加わる場合がある。灯体１０に振動が加わると、角度調整ハンドル２３による締め付けが緩み、灯体１０の首振り角度を固定する力が減少するおそれがある。しかしながら、位置決めピン３３の先端が位置決め部３２ａに挿入されていれば、灯体１０の首振り角度を固定する力が減少したとしても、灯体１０の首振り角度を保持することができる。  
すなわち、本実施の形態に係る照明装置１とすれば、照射位置の調整後に灯体１０の首振り角度が変化するのを抑制することができる。
【００５２】
また、複数の位置決め部３２ａに灯体１０の首振り角度の目盛りとしての機能を持たせることもできる。  
図４（ａ）、（ｂ）は、複数の位置決め部３２ａにおける首振り角度の目盛りとしての機能を例示するための模式図である。  
図４（ａ）に示すように、１つの位置決め部３２ａの中心と、灯体１０の首振りの中心４０とを通る線と、隣接する位置決め部３２ａの中心と、灯体１０の首振りの中心４０とを通る線と、の間の角度θを定めておけば、複数の位置決め部３２ａを灯体１０の首振り角度の目盛りとして用いることができる。そのため、照明装置１の照射位置の調整を容易とすることがでる。また、照明装置１の照射位置の再現を図ることが容易となる。
【００５３】
この場合、複数の位置決め部３２ａを複数列設け、１つの列における複数の位置決め部３２ａの位置と、隣接する列における複数の位置決め部３２ａの位置とをずらしておけば、照明装置１の照射位置の調整幅を小さくすることができる。  
例えば、図４（ｂ）に示すように、複数の位置決め部３２ａを２列設け、１つの列における複数の位置決め部３２ａの位置と、隣接する列における複数の位置決め部３２ａの位置とを半ピッチずらしておけば、照明装置１の照射位置の調整幅を二分の一にすることができる。そのため、照明装置１の照射位置のより細かい調整を行うことができる。
【００５４】
また、保持部３０が灯体１０の両側に設けられる場合には、一方の側における複数の位置決め部３２ａの位置と、他方の側における複数の位置決め部３２ａの位置とが異なるようにすることもできる。この場合、照射位置の調整においては、都合のよい位置決め部３２ａを適宜選択するするようにする。このようにしても、照明装置１の照射位置のより細かい調整を行うことができる。
【００５５】
図５は、他の実施形態に係る複数の位置決め部３２ａを例示するための模式図である。  図１、図４（ａ）、および図４（ｂ）に例示をした複数の位置決め部３２ａにおいては、複数の位置決め部３２ａのそれぞれが離隔していた。  
これに対して、図５に例示をする複数の位置決め部３２ａにおいては、１つの位置決め部３２ａの一部分と、隣接する位置決め部３２ａの一部分とが重なっている。この様にすれば、照明装置１の照射位置の調整幅を小さくすることができる。そのため、照明装置１の照射位置のより細かい調整を行うことができる。
【００５６】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５７】
１  照明装置、１０  灯体、１１  光源、１２  光学要素部、１３  制御部、１３ａ  筐体、１４  放熱部、１４ｂ  放熱フィン、１５  発光部、１５ａ  基板、１５ｂ  発光素子、２０  支持部、２１  ベース、２２  支持体、２２ａ  支持板部、２２ｂ  連結部、２３  角度調整ハンドル、３０  保持部、３１  アーム、３１ａ  取付部、３２  位置決めプレート、３２ａ  位置決め部、３３  位置決めピン
【図１】
2018006131.tif 000003
【図２】
2018006131.tif 000004
【図３】
2018006131.tif 000005
【図４】
2018006131.tif 000006
【図５】
2018006131.tif 000007